(57)【特許請求の範囲】
【請求項１】
平面視略四角形の天板と、前記天板を昇降自在に支持する上下伸縮式の左右一対の脚と、前記左右脚を同時に伸縮動させるために手動式ハンドルで操作される駆動機構とを備えており、
前記駆動機構は天板の下面に沿って左右方向に延びるように配置された１本の連動軸を備えており、前記連動軸の回転によって左右脚が同時に伸縮するようになっており、
更に、前記駆動機構には、前記ハンドルで回転操作される操作軸が、天板の前面側でかつコーナー寄りの２箇所の部位と天板の後面側で且つコーナー寄りの２箇所の部位との合計４個所の部位のうちいずれの部位からも操作し得る状態に複数設けられており、前記各操作軸はハンドルが取り付く操作部を有している、
という天板昇降式机であって、
前記駆動機構の連動軸及び操作軸は天板と一緒に昇降するように配置されており、前記操作軸は、その回転軸線が左右方向に延びるように配置されていると共に、その操作部は天板の下方の空間でかつ脚よりも内側に位置している一方、
前記ハンドルは、前記操作軸の軸心から放射方向に延びる棒状に形成されており、このハンドルに、当該ハンドルを操作部の軸心回りに往復回動させることによって操作軸を一方向に回転させ得るラチェット機構と、前記操作軸の回転方向を切り換えるための切り換え手段とが設けられている、
天板昇降式机。
【請求項２】
前記連動軸は、天板の下面に形成した溝の中に格納されていると共にカバーで下方から覆われている、
請求項１に記載した天板昇降式机。
【発明の詳細な説明】
【０００１】
【発明の属する技術分野】
本発明は、天板を手動で高さ調節できる机（テーブル類やカウンター類を含む）に関するものである。
【０００２】
【従来の技術】
机の天板を高さ調節できるようにする場合、一般に、天板を支持する左右の脚を、ねじ軸とナット、ラックとピニオン、或いは油圧シリンダ等からなる伸縮機構によって上下伸縮自在に構成し、この左右の脚の伸縮動を駆動機構で連動せしめ、駆動機構に設けた操作部をハンドルで回転させることにより、左右の脚を同時に伸縮させて天板を昇降させる構成になっている。
【０００３】
そして、ハンドルが取付く操作部の位置は様々であり、例えば実開昭58- 159938号公報では、側面視逆Ｔ字状に形成した脚の水平部に操作部を設けており、また、実開昭58-31840号や実開昭59-34636号公報では、天板の左右両側面の箇所に操作部を設けており、更に、実開昭60-48732号公報では、天板の前面部のうち左右中央部の箇所に操作部を設けている。また、図15に示すように、天板の前面部のうち左端又は右端の部位に操作部を設けて、これをクランク式のハンドル80で回転操作することも行われている。
【０００４】
【発明が解決しようとする課題】
ところで、オフィスにおいては机を１台だけ独立して設置するのは稀であり、図16に例示するように、複数の机を平面視直線状や平面視Ｌ字状、或いは平面視クランク状などの様々の形態に並べるのが普通である。
しかるに、実開昭58−159938号公報のように操作部を脚の水平部に設けた場合や、実開昭58-31840号及び実開昭59-34636号公報のように操作部を天板の左右両側面の箇所に設けた場合、或いは図16のように操作部を天板80の前面部の左端又は右端に設けた場合には、複数の机を並べた場合には、隣の机が邪魔になって昇降操作できなくなったり、操作しにくくなったりする問題がある。
【０００５】
また、実開昭60-48732号公報のように、操作部を天板の前面部の左右中央部に設けた場合にも、図16のように、二つの机82,83 を、一方の机82の側面を他方の机83の前面を当てた状態で平面視Ｌ字状に配置すると、一方の机82の側面が他方の机83の中心線83ａ寄りに位置するため、他方の机83のハンドル80を回転操作しにくくなったりできなくなったりすることになり、やはり、机のレイアウトの自由性が損なわれる。
【０００６】
また、クランク式のハンドルは、軽い力で軽快に回転させるためには回転半径を大きくしなければならず、かくするとハンドルが大型化するため、回転操作のために大きな空間が必要となって、隣接した机が邪魔になるなどの問題が一層顕著に顕れ、しかも、ハンドルの管理（格納）も面倒になるという問題があった。
本発明は、これらの問題を解消することを目的とするものである。
【０００７】
【課題を解決するための手段】
本発明の机は、まず、「平面視略四角形の天板と、前記天板を昇降自在に支持する上下伸縮式の左右一対の脚と、前記左右脚を同時に伸縮動させるために手動式ハンドルで操作される駆動機構とを備えており、前記駆動機構は天板の下面に沿って左右方向に延びるように配置された１本の連動軸を備えており、前記連動軸の回転によって左右脚が同時に伸縮するようになっており、更に、前記駆動機構には、前記ハンドルで回転操作される操作軸が、天板の前面側でかつコーナー寄りの２箇所の部位と天板の後面側で且つコーナー寄りの２箇所の部位との合計４個所の部位のうちいずれの部位からも操作し得る状態に複数設けられており、前記各操作軸はハンドルが取り付く操作部を有している」という構成になっている。
【０００８】
更に、前記の構成において、前記駆動機構の連動軸及び操作軸は天板と一緒に昇降するように配置されており、前記操作軸は、その回転軸線が左右方向に延びるように配置されていると共に、その操作部は天板の下方の空間でかつ脚よりも内側に位置している一方、前記ハンドルは、前記操作軸の軸心から放射方向に延びる棒状に形成されており、このハンドルに、当該ハンドルを操作部の軸心回りに往復回動させることによって操作軸を一方向に回転させ得るラチェット機構と、前記操作軸の回転方向を切り換えるための切り換え手段とが設けられている。
なお、本願発明における棒状とはパイプ状や帯板状なども含む概念である。
【０００９】
【発明の奏する効果】
このように構成すると、複数の机を平面視Ｌ字状等の様々の形態に並べた場合でも、殆どの場合、天板の前面側の左右２箇所と後面側の左右２箇所との４箇所のうちのいずれかは広く開いた状態になっているから、駆動機構は、４箇所のうちいずれかの個所から操作し得る。
【００１０】
従って本発明によると、机の自由なレイアウトを確保した状態の下で、天板を容易に昇降させて高さ調節することができる。
また、ハンドルは棒状であるため、当該ハンドルは操作軸に取付いたままで天板の下面に密着した状態に格納することができ、このため、ハンドルの管理の手間を省くことができる。また、人は、手を直線方向に前後動させてハンドルを操作するものであるため、ハンドルの操作のためのスペースが少なくてすみ、しかも、ハンドルに大きなモーメントをかけて操作軸に大きなトルクを付与できるため、女性や車椅子に載った身体障害者のような非力なワーカーであっても、天板の高さ調節を軽快に行えることができる。
【００１１】
【発明の実施形態】
次に、本発明の実施形態を図面に基づいて説明する。
(1).第１実施形態（図１〜図10）
図１〜図10は第１実施形態を示しており、このうち図１は机１の全体斜視図である。この図に示すように、机１は、平面視長方形の天板２と、この天板２を支持する左右一対の脚３とを備えている。脚３は、水平部3aと垂直部3bとで構成されている。そして、詳しくは後述するように、垂直部3bは上下伸縮自在となっており、ハンドル４の操作によって脚３を上下に伸縮させることにより、天板２を高さ調節することができる。この点を図２以下の図面に基づいて説明する。
【００１２】
(2).脚の伸縮機構
図２及び図３は駆動系統を示す分離斜視図、図４は天板２を仮想線で示した要部平面図、図５のうち (A)は図４の V-V視面図、 (B)は (A)の B-B視断面図、 (C)は (A)の C-C視断面図、 (D)は (A)を部分的に破断した図である。
図２や図５に示すように、脚３の垂直部3bは、水平部3aに固着した円筒状の支柱５と、この支柱５を囲う断面小判形の下カバー６とを備えている。支柱５には上下一対の固定ガイド部材7,8 が嵌まっており、これら両ガイド部材7,8 を支柱５にねじ止め等の適当な手段で固定している。下部の固定ガイド部材８は下カバー６の内面に溶接やねじ止め等の適当な手段で固定されている。
【００１３】
上下ガイド部材7,8 には、ガイド軸９と支持ロッド10とが振り分けた状態で嵌まっている。ガイド軸９は上下ガイド部材7,8 に対して摺動自在に嵌まっている。他方、支持ロッド10は、上部のガイド部材７に対しては摺動自在に嵌まっているが、支持ロッド10の下寄り部位は雄ねじ部10ａとなっており、この雄ねじ部10ａが下部のガイド部材８にねじ込まれている。
【００１４】
図5(A)に示すように、天板２の左右両端部の下面にはハウジング（ギアボックス）11が固着されており、ガイド軸９の上端はこのハウジング11に固定されている。また、図5(D)に示すように、支持ロッド10の上端は、スラストベアリング10ｂを介してハウジング11に回転自在で上向き抜け不能に嵌まっている。従って、支持ロッド10を回転させると、ハウジング11及び天板２が昇降する。
【００１５】
図５(A)(B)に示すように、ハウジング11には、下カバー６に嵌まり込む上カバー12を固着している。上カバー12は、下カバー６の内面と上部のガイド部材７との間の隙間に嵌まり込むように設定している。従って、上部のガイド部材７は下部のガイド部材８よりも一回り小さい寸法になっている。なお、図5(A)に二点鎖線で示すように、上カバー12を下カバー６の外側に嵌め込んでも良い。
【００１６】
支持ロッド10やガイド軸９はブッシュ13,14 を介して上下ガイド部材7,8 に嵌まっている（図２ではブッシュは省略している）。
(3).駆動機構の構造
例えば図3(A)に示すように、ハウジング11は上向きに開口しており、前記支持ロッド10の上端をハウジング11内に突出させ、支持ロッド10の上端にハスバ歯車16を取付けている。また、ハウジング11のうち机１の中心寄りの部位には、前後両方向に延びる下向き開口樋状の保護アーム17を一体に設けている。前後保護アーム17の付け根の間の部位は上下に開口した空所18になっている。なお、保護アーム17はハウジング11とは別体に構成しても良い。
【００１７】
また、ハウジング11の内部には下ブロック19を装着しており、この下ブロック19に、左右長手の中心軸20と、中心軸20を挟んで前後に位置した一対の操作軸21,22 を回転自在に取付けている。中心軸20は支持ロッド10の側に偏位しており、この中心軸20に、前記支持ロッド10のハスバ歯車16に噛合するハスバ状の第１ギア23と、第１ギア23に近接した第２ギア24と、第２ギア24を挟んで第１ギア23と反対側に位置した第３ギア25とを取付けている。
【００１８】
前後操作軸21,22 は空所18に近い側に偏位しており、前操作軸21には、前記第３ギア25に噛合する第４ギア26を取付けている。他方、後操作軸22には、前記第３ギア25と干渉しない状態で第５ギア27を取付けている。また、前後操作軸21,22 には、空所18内に露出する角形の操作部21a,22a を設けている。なお、操作部21a,22a は角形には限らず、ハンドル４で回転させ得る形態であれば良い。
【００１９】
例えば図3(A)に示すように、天板２のうち前記下ブロック19と重なり合う部位に凹所28を形成し、この凹所28内に上ブロック29を固着している。天板２の左右上ブロック29に、前記中心軸20と平面視で重なり合うように延びる連動軸30を回転自在に取付け、この連動軸30に、前記第２ギア24に噛合する第６ギア31と、第３ギア25に噛合する第７ギア32と、第５ギア27に噛合する第８ギア33とを取付けている。
【００２０】
(4).駆動機構の動作
各ギアの噛み合い関係を図２で示している。この図２より明らかなように、各ギアは互いに連動関係にあり、前後左右４本の操作軸21,22 のいずれかを回転させると、左右の支持ロッド10が同じ方向に同時に回転して、天板２が昇降する。
例えば右側の前操作軸21を回転させると、右側の中心軸20が直接に回転することにより、第１ギア23及びハスバ歯車16を介して支持ロッド10が回転して右側の脚３が伸縮し、これと同時に、第３ギア25及び第４ギア26を介して連動軸30が回転することにより、左側の脚３の部位では、第６ギア31と第２ギア24とを介して中心軸20が回転して左側の支持ロッド10が回転し、これにより、左側の脚３も右側の脚３と同様に伸縮する。
【００２１】
図２から容易に理解できるように、この実施形態では、前後操作軸21,22 を互いに逆方向に回転させることによって支持ロッド10を同じ方向に回転させている。これは、例えば、どの箇所でハンドル４を押し下げても天板２が上昇するというように、４個所のうちどの部位でハンドル４を操作しても、ハンドル４の押し引き方向と天板２の昇降方向とを一致させるためである。
【００２２】
(5).ユニット化
図３に二点鎖線で示すように、前記連動軸30は、天板２の下面に形成した溝34の中に格納されており、溝34はカバー35で塞がれている。
本実施形態では、ハウジング11は予め脚３に一体化的に組み込まれている一方、連動軸30は上ブロック29を介して天板２の下面に取付けられており、机１の組立に際しては、天板２をハウジング11に重ね合わせて、図3(B)に示すように、ハウジング11をねじ39で天板２の下面に固着するだけで良い。連動軸３０と各ギアは請求項に記載した駆動機構を構成するが、本実施形態では、駆動機構部は、脚３に取付いた部分と天板２に取付いた部分とにユニット化されており、天板２と脚３とを固定することに伴って両ユニットが一体化し、各ギアが噛合する。従って、左右脚３を同時に伸縮させるための面倒な調整作業を必要とせず、机１の組立が頗る容易である。
【００２３】
この場合、上ブロック29を天板２の下面から若干の寸法だけ下向きに突設し、この上ブロック29をハウジング11の空所内に嵌め入れることにより、天板２と脚３との位置合わせをしており、このような位置決め手段を設けると、組立がより一層容易となる。
(6).ハンドルの構造
図４に示すように、ハンドル４は保護アーム17の内部に格納されており、同図に矢印で示すように、ハンドル４を往復回動させることによって操作軸21,22 を回転させることができる。ハンドル４は、一方方向に回転したときのみ操作軸21,22 にトルクを付与できる（従って、原理的にはラチェット式のレンチと同じである）。この点を図６〜図９に基づいて説明する。
【００２４】
図６はハンドル４を横向きにして寝かせた状態での分離斜視図であり、この図に示すように、ハンドル４は細長い棒状の本体39を備えており、本体39のうちグリップ39ａと反対側の基端部には段付きの貫通穴40が左右両面に開口しており、この貫通穴40内に、ギア41を回転自在に嵌め入れている。ギア41には、前記操作軸21,22 の操作部21a,22b が嵌まる角孔42が空いている。
【００２５】
本体39の基端部には、貫通穴40に連通する凹所43が空いており、凹所43内に、一対のラチェット爪44と、ラチェット爪44を回転操作するためのカム45とを配置し、凹所43と貫通穴40とを蓋板46で塞ぎ、更に、本体39の基端部には、貫通穴40及び凹所43を塞ぐように一対のキャップ47を装着している。キャップ47は、操作軸21,22 の操作部21a,22a が嵌まるように開口している。
【００２６】
図7(A)はキャップ47を取り付けた状態での側面図、図7(B)はキャップ47を取り外した状態での側面図、図8(A)は蓋板46を取り外した状態での側面図、図8(B)は作用を示す側面図である。例えば図8(A)及び図６に示すように、ラチェット爪44は、ギア41に向けて延びるように平面視ハ字状の姿勢に配置されており、その両端に形成したピン44ａを本体39及び蓋板46に嵌め入れることにより、ピン44ａを中心に自在に回動するように設定しており、更に、バネ48（図８参照）で、ギア46と噛合する方向に付勢されている。
【００２７】
ギア41とラチェット爪44とで請求項のラチェット機構を構成している。
前記カム45は平面視扇形に形成されていて、両ラチェット爪44の間に配置されている。カム45にもピン45ａが一体形成されており、このピン45ａを本体39及び蓋板46に嵌め入れることにより、ピン46ａ回りに自在に回動するように設定している。図8(A)はカム45を中立姿勢に保持した状態であり、この状態では、両ラチェット爪44はカム45における円周面の両端で押し広げられている。このため、ギア41は自在に回転し得る（従って操作軸21,22 は回転しない）。
【００２８】
カム45を例えば図8(B)のように回動させると、一方のラチェット爪44はカム45の円周面に当たった状態が保持されるため、当該一方のラチェット爪44はギア41から離反した状態に保持され、他方のラチェット爪44は、カム45が逃げ回動することにより、バネ48で押されてギア41に噛合する姿勢になる。このため、ハンドル４を実線矢印の方向に回動させると、ギア41が回転して操作軸21,22 も回転する。
【００２９】
ハンドル４を図8(B)の点線矢印で示す方向に回動させると、他方のラチェット爪44はギア41から逃げ回動するため、操作軸21,22 は回転せずにハンドル４だけが逃げ回動する。このようにして、ハンドル４を一方方向に回動させるときだけ操作軸21,22 にトルクを作用させて、操作軸21,22 を間欠的に回転させることができる。
【００３０】
前記カム45の姿勢の切り換え（換言すると、操作軸21,22 の回転方向の切り換え）は、本体39のうちグリップ39ａの近傍に設けた撮み49をスライド操作することによって行うことができる。この点を次に説明する。
図６〜８に示すように、前記カム45における一方のピン45ａは蓋板46の外側に突出しており、この突出したピン45ａを角形のような非円形に形成し、このピン45ａに、板状に形成された第１リンク50の一端を嵌合している。従って、第１リンク50とカム45との相対姿勢は不変である。
【００３１】
本体39の基端寄り部位のうち第１リンク50が配置されている面には、本体の長手方向に延びる第１長溝51を形成し、この第１長溝51に、Ｌ字状に形成した第２リンク52の半分を摺動自在に嵌め入れ、第２リンク52のうち本体39の表面に重なった部位の先端を、第１リンク50の他端に形成した上向きピン50ａに嵌め入れている。従って、第２リンク52を第１長溝51に沿って摺動させると、第１リンク50がカム45のピン45ａを中心に回動すると共に、カム45もピン45ａを中心にして回動する。
【００３２】
本体39の下面には、前記第１長溝51に連通した状態でグリップ39ａの方向に向けて延びるで第２長溝53が形成されており、この第２長溝53に、線材製等の連動部材54を嵌め入れている。連動部材54の基端にはコ字状の鉤部50ａが形成されており、この鉤部50ａを前記第２リンク52に嵌合させている。従って、連動部材54をその長手方向に押し引きすると第２リンク52が前後移動する。
【００３３】
本体39のうちグリップ39ａ寄りの部位の下面に嵌合溝55を形成しており、この嵌合溝55内に細長いスライダー56を前後摺動自在に嵌め入れて、このスライダー56に設けた撮み49を、本体39の上面に開口した長穴57から外側に露出させている。スライダー56の下面には、前記連動部材54を弾性的に挟持するクランプ部58を一体に形成しており、また、連動部材54の端部をＬ字状に折り曲げて、これをスライダー56に空けた穴に嵌め入れている。
【００３４】
図9(B)に示すように、本体39のうち長穴57の個所に、本体39の下面方向に突出する一対の爪59を設け、スライダー56の下面を爪59で保持することにより、スライダー56の抜けを防止している。このように構成すると、スライダー56の取付けが簡単である。
更に、スライダー56の先端に係止爪60を設け、この係止爪60を、嵌合溝55の底面に形成した複数（３つ）の係止凹部（図示せず）に弾性的に嵌合させることにより、スライダー56の位置を保持できるようにしている。
【００３５】
カム45、第１及び第２のリンク50,52 、連動部材54，スライダー56は請求項に記載した切り換え手段を構成している。
以上の説明より明らかなように、指先でハンドル４の撮み49をいずれかの方向にスライドさせてからハンドル４を回動することにより、操作軸21,22 を回転させて天板２を昇降させることができる。
【００３６】
(7).ハンドルの保持手段
図６に示すように、前記ハンドル４が不使用時に不測に倒れ回動しないように、保護アーム17の内部にホルダー61を設けている。このホルダー61は、ハンドル４の本体39に被嵌するように下向き開口コ字状に形成されており、その左右内側面に突起62を形成している。他方、本体39の左右側面には、前記突起62が弾性的に嵌まる係止穴63を形成しており、ホルダー61の弾性に抗して突起62と係止穴63を嵌脱させることにより、ハンドル４の着脱の容易性を損なうことなく、不使用時にハンドル４の下向き回動を阻止している。
【００３７】
なお、ハンドル４の本体39に突起62を設けて、ホルダー61に係止穴63を設けても良いし、また、他の弾性的な保持手段を採用しても良い。
ハンドル４は、一台の机１に一本だけ設けていずれかの保護アーム17に取り付けておき、必要に応じて設置場所を変更しても良いし、或いは、４個所の保護アーム17内にそれぞれハンドル４を設けて、各ハンドル４を予め各操作軸21,22 に係合させた状態にしておいても良い。出荷時に各ハンドル４を中立位置に保持しておけば、特定のハンドル４だけを回動して天板２を昇降できるから、各保護アーム17にハンドル４を設けておいても支障はない。
【００３８】
(7).まとめ
以上の説明から明らかなように、駆動機構に左右２本ずつの操作軸21,22 を設けたことにより、机１の前面側と後面側とのそれぞれ左右二箇所の部位からハンドル４を回動操作することによって天板２を高さ調節できる。従って、二つの机１を例えば図10のように配置した場合であっても、両机１とも、いずれかのハンドル４を容易に回動操作することができ、このため、机１を自由にレイアウトした状態の下で、各机１の天板２を容易に高さ調節することができる。
【００３９】
(8).実施形態の利点
実施形態のように、操作具として上下往復回動式の棒状のハンドル（レバー）４を使用すると、ハンドル４は操作軸21,22 に嵌合したままで天板２の下面に密着した状態に格納できるので、ハンドル４の管理の手間を省ける利点がある（前記した従来例に見られるようなクランク式のハンドルの場合、ハンドルは操作部から取外して別の場所に格納しなければならないため、管理が面倒である）。
【００４０】
また、人は手を直線方向に前後動させてハンドル４を操作するものであるため、ハンドル４の操作のためのスペースが少なくてすみ、しかも、ハンドル４に大きなモーメントをかけて操作軸21,22 に大きなトルクを付与できるため、女性や車椅子に載った身体障害者のような非力なワーカーであっても、軽快に天板２を高さ調節できる利点がある。
【００４１】
また、ハンドル４のトルク付与方向を切り換えるための撮みをグリップ39ａ寄りの部位に設けると、ワーカーは、椅子に腰掛けたままで撮み49の操作とハンドル４の回動操作とを行えるため、特に、車椅子に載ったワーカーにとって有益である。なお、撮み49を設けることに代えて、グリップ39ａを回転させることによってラチェット爪44を切り換えるなどしても良い。
【００４２】
一般に、人はハンドル４を押し下げるとき力を掛けやすいので、ハンドル４の押し下げ時に天板２が上昇するように設定しておくと好適である。
(9).第２実施形態（図11）
図11では脚の別例である第２実施形態を示している。すなわちこの実施形態では、脚３の垂直部3bを、水平部3aに固定された下筒65と、天板の下面に固定された上筒66と、これらに螺合したねじ軸69とを備えた構成にしたもので、例えば、下筒65を右ねじにして上筒66を左ねじとするというように、ねじ軸67と上下筒65,66 とのねじ山の螺旋方向を異ならせている。従って、ねじ軸67の一回転によって天板２はねじ山の二倍のピッチで昇降する。
【００４３】
この実施形態では、ねじ軸67に対してロッド68を上方から摺動自在で相対回転不能に嵌め入れ、このロッド68の上端に設けたハスバ歯車69を、複数のギアや連動軸54を備えた駆動機構70で回転させるように構成している。
上下筒65,66 を上下摺動自在で相対回転不能な状態に嵌め合わせても良い。
(10)．第３実施形態（図12）
この実施形態は第１実施形態の変形例であり、 (A)は部分正面図、 (B)は (A)の左側面図である。
【００４４】
この実施形態では、天板２の下面のうち左右保護アーム17の間の部位に抽斗71を前後動自在に取付けている。この場合、抽斗71を机１の前方と後方との両方向に引き出せるように構成しても良く、このようにすると、机１の前後方向性がなくなるためレイアウトの自由性が向上する利点がある。
【００４５】
(11)．第４実施形態（図13）
図13に示す第４実施形態では、操作部の別例を示している。すなわちこの実施形態では、ハウジング（或いは脚３の上部）の前後中央部に操作軸72を設け、この操作軸72に係合したハンドル４を、手前側と後ろ側とに大きく回動させることにより、１本のハンドル４を机１の手前側から操作したり後ろ側から操作したりできるようにしたものである。この実施形態から容易に理解できるように、机の前後左右４箇所から高さ調節できるといっても、操作部を４箇所に設ける必要はなく、一つの操作部を机の前後両側から操作しても良いのである。
【００４６】
(12). その他
以上、本発明の実施形態を説明したが、本発明は必要に応じて様々の態様に実施できる。例えば、脚を伸縮式にする手段としては、ラックとピニオンからなる機構などを採用しても良い。
【００４７】
【００４８】
【図面の簡単な説明】
【図１】第１実施形態に係る机の斜視図である。
【図２】駆動系統を示す斜視図である。
【図３】駆動系統を示す分離斜視図である。
【図４】天板を仮想線で示した要部平面図である。
【図５】 (A)は図４の V-V視断面図、 (B)は (A)の B-B視断面図、 (C)は (A)の C-C視断面図、 (D)は (A)の部分破断図である。
【図６】ハンドルの分離斜視図である。
【図７】ハンドルの部分側面図である。
【図８】ハンドルの部分側面図である。
【図９】 (A)はハンドルの部分斜視図、 (B)は (A)の B-B視断面図である。
【図10】机のレイアウトの一例を示す平面図である。
【図11】第２実施形態の部分斜視図である。
【図12】第３実施形態を示す図である。
【図13】第４実施形態を示す図である。
【図14】従来技術の一例を示す図である。
【図15】従来の机のレイアウトの一例を示す図である。
【符号の説明】
１  机
２  天板
３  脚
４  ハンドル
7,8   ガイド部材
10  支持ロッド
11  ハウジング
21,22   操作軸
21a,22a 操作部
23,24,25,26,27,31,32,33 ギア
30  連動軸
41  ギア
44  ラチェット爪
45  カム
49  操作用撮み
【図１】
0004067174.tif 000002
【図２】
0004067174.tif 000003
【図３】
0004067174.tif 000004
【図４】
0004067174.tif 000005
【図５】
0004067174.tif 000006
【図６】
0004067174.tif 000007
【図７】
0004067174.tif 000008
【図８】
0004067174.tif 000009
【図９】
0004067174.tif 000010
【図１０】
0004067174.tif 000011
【図１１】
0004067174.tif 000012
【図１２】
0004067174.tif 000013
【図１３】
0004067174.tif 000014
【図１４】
0004067174.tif 000015
【図１５】
0004067174.tif 000016